(57)【特許請求の範囲】
【請求項１】
樹脂製のランプボディと樹脂製の透光カバーとの溶着によって形成される灯室内に光源が配置されてなる車両用灯具において、
上記透光カバーは、ＰＭＭＡ（ポリメタクリル酸メチル）樹脂で構成されており、
上記ランプボディは、上記透光カバーを構成するＰＭＭＡ樹脂よりもガラス転移温度が低いＡＳＡ（アクリロニトリルスチレンアクリレート）樹脂で構成されている、ことを特徴とする車両用灯具。
【請求項２】
上記ＡＳＡ樹脂として、流動特性を示すＭＦＲ（メルトマスフローレイト）が２２０℃×９８Ｎの試験条件下で５０（ｇ／１０min ）以上のＡＳＡ樹脂が用いられている、ことを特徴とする請求項１記載の車両用灯具。
【請求項３】
上記ランプボディの内面に直接蒸着が施されている、ことを特徴とする請求項１または２記載の車両用灯具。
【請求項４】
上記光源が発光素子である、ことを特徴とする請求項１〜３記載の車両用灯具。
【発明の詳細な説明】
【技術分野】
【０００１】
本願発明は、樹脂製のランプボディと樹脂製の透光カバーとの溶着によって形成される灯室内に光源が配置されてなる車両用灯具に関するものである。
【背景技術】
【０００２】
一般に車両用灯具は、ランプボディと透光カバーとによって形成される灯室内に光源が配置された構成となっている。
【０００３】
「特許文献１」には、このような車両用灯具として、樹脂製のランプボディと樹脂製の透光カバーとが溶着された構成のものが記載されている。
【先行技術文献】
【特許文献】
【０００４】
【特許文献１】特開２００３−３２０５９３号公報
【発明の概要】
【発明が解決しようとする課題】
【０００５】
樹脂製のランプボディと樹脂製の透光カバーとが溶着された車両用灯具においては、その溶着部分に残留応力が発生してしまいやすい。その際、透光カバー側に引張応力が残留していると、ランプボディとの溶着部分の表面に溶剤が掛かったような場合には、透光カバーにクラックが発生して、水入り不具合や外観不具合が発生してしまうことがある。
【０００６】
このため従来、上記「特許文献１」にも記載されているように、ランプボディと透光カバーとを溶着した後、アニール工程において溶着部分の残留応力を低減させる対応がなされている。
【０００７】
ところで、テールランプ等の車両用標識灯においては、透光カバーの材質としてＰＭＭＡ（ポリメタクリル酸メチル）樹脂が一般に用いられており、一方、ランプボディの材質としてはＡＢＳ（アクリロニトリルブタジエンスチレン）樹脂が多く用いられているが、近年はＡＢＳ樹脂に比して成形品の表面の平滑性に優れたＡＳＡ（アクリロニトリルスチレンアクリレート）樹脂が採用されるようになってきている。
【０００８】
しかしながら、ランプボディの材質として従来用いられているＡＳＡ樹脂はＰＭＭＡ樹脂よりもガラス転移温度が高いので、透光カバーにはランプボディとの溶着部分に引張残留応力が発生してしまう。このため、ランプボディと透光カバーとを溶着した後、アニール工程において透光カバーの引張残留応力を低減させる対応が必要となっている。
【０００９】
本願発明は、このような事情に鑑みてなされたものであって、樹脂製のランプボディと樹脂製の透光カバーとの溶着によって形成される灯室内に光源が配置されてなる車両用灯具において、透光カバーをＰＭＭＡ樹脂で構成するとともにランプボディをＡＳＡ樹脂で構成した場合であっても、アニール工程の不要化またはその簡素化を図ることができる車両用灯具を提供することを目的とするものである。
【課題を解決するための手段】
【００１０】
本願発明は、ランプボディの構成に工夫を施すことにより、上記目的達成を図るようにしたものである。
【００１１】
すなわち、本願発明に係る車両用灯具は、
樹脂製のランプボディと樹脂製の透光カバーとの溶着によって形成される灯室内に光源が配置されてなる車両用灯具において、
上記透光カバーは、ＰＭＭＡ（ポリメタクリル酸メチル）樹脂で構成されており、
上記ランプボディは、上記透光カバーを構成するＰＭＭＡ樹脂よりもガラス転移温度が低いＡＳＡ（アクリロニトリルスチレンアクリレート）樹脂で構成されている、ことを特徴とするものである。
【００１２】
上記「光源」の種類は特に限定されるものではなく、例えば発光ダイオードや光源バルブ等が採用可能である。
【００１３】
上記ランプボディを構成する「ＡＳＡ樹脂」は、透光カバーを構成するＰＭＭＡ樹脂よりもガラス転移温度が低いものであれば、その具体的な組成は特に限定されるものではない。
【発明の効果】
【００１４】
本願発明に係る車両用灯具は、樹脂製のランプボディと樹脂製の透光カバーとが溶着された構成となっているが、ランプボディは透光カバーを構成するＰＭＭＡ樹脂よりもガラス転移温度が低いＡＳＡ樹脂で構成されているので、ランプボディと透光カバーとの溶着部分において、透光カバー側に引張残留応力ではなく圧縮残留応力を発生させるようにすることができる。そしてこれにより透光カバーの耐溶剤性を向上させることができる。したがって、ランプボディと透光カバーとを溶着した後のアニール工程を不要とすることあるいはこれを簡素なものとすることができる。
【００１５】
このように本願発明によれば、樹脂製のランプボディと樹脂製の透光カバーとの溶着によって形成される灯室内に光源が配置されてなる車両用灯具において、透光カバーをＰＭＭＡ樹脂で構成するとともにランプボディをＡＳＡ樹脂で構成した場合であっても、アニール工程の不要化またはその簡素化を図ることができる。
【００１６】
そしてこれにより、従来のようなアニール工程のための大規模かつ高コストな設備を廃止または縮小することができるとともに、リードタイムの短縮による生産性向上を図ることができる。
【００１７】
上記構成において、ランプボディを構成するＡＳＡ樹脂として、流動特性を示すＭＦＲ（メルトマスフローレイト）が、２２０℃×９８Ｎの試験条件下で５０（ｇ／１０min ）以上のＡＳＡ樹脂を用いるようにすれば、ランプボディを構成するＡＳＡ樹脂のガラス転移温度を、透光カバーを構成するＰＭＭＡ樹脂のガラス転移温度よりも低い値に設定することが容易に可能となる。しかも、このように流動性の高いＡＳＡ樹脂を用いることにより、ランプボディの成形性を高めることができる。
【００１８】
上記構成において、ランプボディの内面に直接蒸着が施された構成とすれば、次のような作用効果を得ることができる。
【００１９】
すなわち、上述したように、ランプボディをＡＳＡ樹脂で構成することにより、ランプボディをＡＢＳ樹脂等で構成した場合に比して、その表面の平滑性を高めることができる。したがって、ランプボディの内面に蒸着を施す際、従来のように前処理としてのアンダーコートを施すことなく直接蒸着を施すことが可能となる。そして、このようにランプボディの内面に直接蒸着を施すことにより、灯具の製造工程の簡素化および製造コストの低減を図ることができる。
【００２０】
上記構成において、光源として発光ダイオード等の発光素子を採用するようにすれば、次のような作用効果を得ることができる。
【００２１】
すなわち、光源を発光素子とすることにより、光源バルブ等の場合に比して光源からの輻射熱を大幅に低減させることができるので、ランプボディが高温になってしまうのを未然に防止することができる。したがって、ランプボディを構成するＡＳＡ樹脂のガラス転移温度を、透光カバーを構成するＰＭＭＡ樹脂のガラス転移温度よりも低い値に設定する上で、光源からの輻射熱の影響を考慮する必要をなくすことができる。
【図面の簡単な説明】
【００２２】
【図１】本願発明の一実施形態に係る車両用灯具を示す正面図
【図２】図１のII−II線断面詳細図
【図３】図２のIII 部詳細図を用いて、上記実施形態の作用を従来例と比較して示す図
【図４】上記実施形態の作用を説明するためのグラフ
【発明を実施するための形態】
【００２３】
以下、図面を用いて、本願発明の実施の形態について説明する。
【００２４】
図１は、本願発明の一実施形態に係る車両用灯具１０を示す正面図である。また、図２は、図１のII−II線断面詳細図である。
【００２５】
これらの図に示すように、本実施形態に係る車両用灯具１０は、車両後部に配置されるテールランプであって、ランプボディ１２と透光カバー１４とで形成される灯室１６内に複数の光源２０が収容された構成となっている。
【００２６】
各光源２０は、発光素子であって、その発光面を灯具前方（車両としては後方）へ向けて配置されている。具体的には、これら各発光素子は、赤色発光ダイオードであって、図示しない基板を介してランプボディ１２に支持されている。
【００２７】
ランプボディ１２および透光カバー１４は、いずれも樹脂製であって、その外周縁部１２ａ、１４ａにおいて溶着によって固定されている。
【００２８】
ランプボディ１２は、ＡＳＡ（アクリロニトリルスチレンアクリレート）樹脂で構成されており、透光カバー１４は、ＰＭＭＡ（ポリメタクリル酸メチル）樹脂で構成されている。
【００２９】
ランプボディ１２を構成するＡＳＡ樹脂は、透光カバー１４を構成するＰＭＭＡ樹脂よりもガラス転移温度が低い値に設定されている。具体的には、透光カバー１４を構成するＰＭＭＡ樹脂は、そのガラス転移温度が９５℃程度であるのに対し、ランプボディ１２を構成するＡＳＡ樹脂は、そのガラス転移温度が８５〜９０℃程度の値に設定されている。
【００３０】
これを確実に実現するため、ランプボディ１２は、これを構成するＡＳＡ樹脂として、流動特性を示すＭＦＲ（メルトマスフローレイト）が２２０℃×９８Ｎの試験条件下で５０（ｇ／１０min ）以上のＡＳＡ樹脂が用いられている。
【００３１】
図２に示すように、ランプボディ１２の外周縁部１２ａは、透光カバー１４の外周縁部１４ａと略平行に延びており、その前面には溶着用の台座部１２ａ１が形成されており、また、その最外周縁部には前方へ延びるフランジ部１２ａ２が形成されている。一方、透光カバー１４は素通し状に形成されており、その外周縁部１４ａの後面には、ランプボディ１２の台座部１２ａ１と対向するようにして後方へ延びるリブ１４ａ１が形成されている。
【００３２】
本実施形態においては、ランプボディ１２と透光カバー１４との溶着が熱板溶着によって行われている。
【００３３】
すなわち、これらランプボディ１２および透光カバー１４は、ランプボディ１２の台座部１２ａ１の前面と透光カバー１４のリブ１４ａ１の後面とを、図示しない熱板によって溶融させた後、両者を灯具前後方向に押圧することによって溶着されている。これらランプボディ１２の台座部１２ａ１と透光カバー１４のリブ１４ａ１との溶着面Ｗは、灯具前後方向と直交する平面に沿って略平面状に延びているが、その両側部分は溶融バリの発生によって前方側へ湾曲している。
【００３４】
ランプボディ１２における外周縁部１２ａの内周側には、略灯具前後方向に延びる周壁部１２ｂが形成されており、その内周側には後壁部１２ｃが形成されている。そして、このランプボディ１２における周壁部１２ｂおよび後壁部１２ｃの内面には、アルミ蒸着等の金属蒸着による蒸着膜３０が形成されている。この金属蒸着は、前処理としてのアンダーコートを施すことなく直接蒸着によって行われている。
【００３５】
図３は、図２のIII 部詳細図を用いて、本実施形態の作用を従来例と比較して示す図である。
【００３６】
同図は、ランプボディ１２と透光カバー１４とを溶着したときに、その溶着部分に発生する応力の様子を表にして示す図である。
【００３７】
同表の各列上欄のｔ１〜ｔ３は、溶着後の時間経過を示しており、ｔ１は溶着直後、ｔ２はｔ１から一定時間経過後、ｔ３はｔ２からさらに一定時間経過後のタイミングを示している。
【００３８】
また、同表の各行左欄のＡ、Ｂは、透光カバー１４を構成するＰＭＭＡ樹脂のガラス転移温度をＴｇ１、ランプボディ１２を構成するＡＳＡ樹脂のガラス転移温度をＴｇ２としたとき、その大小を示しており、Ａ欄はＴｇ１＜Ｔｇ２、Ｂ欄はＴｇ１＞Ｔｇ２の場合を示している。
【００３９】
まず、同表のＡ欄について説明する。
【００４０】
従来のようにＴｇ１＜Ｔｇ２の場合、溶着直後ｔ１のタイミングでは、溶融状態にあるランプボディ１２および透光カバー１４が共に冷却されて収縮するが、その収縮方向は溶着面Ｗの両側において同一である。
【００４１】
溶着部分の冷却がある程度進んだｔ２のタイミングでは、ランプボディ１２はこれを構成するＡＳＡ樹脂の温度がガラス転移温度Ｔｇ２以下になって固化するが、透光カバー１４は溶融状態のまま収縮を続ける。
【００４２】
そして、溶着部分の冷却がさらに進んだｔ３のタイミングでは、透光カバー１４もこれを構成するＰＭＭＡ樹脂がガラス転移温度Ｔｇ１以下になって固化する。その際、ランプボディ１２が固化してから透光カバー１４が固化するまでの間に透光カバー１４が収縮を続けたことに起因して、透光カバー１４には引張残留応力が発生する。
【００４３】
次に、同表のＢ欄について説明する。
【００４４】
本実施形態のようにＴｇ１＞Ｔｇ２の場合、溶着直後ｔ１のタイミングでは、溶融状態にあるランプボディ１２および透光カバー１４が共に冷却されて収縮するが、その収縮方向は溶着面Ｗの両側において同一である。
【００４５】
溶着部分の冷却がある程度進んだｔ２のタイミングでは、透光カバー１４はこれを構成するＰＭＭＡ樹脂がガラス転移温度Ｔｇ１以下になって固化するが、ランプボディ１２は溶融状態のまま収縮を続ける。
【００４６】
そして、溶着部分の冷却がさらに進んだｔ３のタイミングでは、ランプボディ１２もこれを構成するＡＳＡ樹脂の温度がガラス転移温度Ｔｇ２以下になって固化する。その際、透光カバー１４が固化してからランプボディ１２が固化するまでの間にランプボディ１２が収縮を続けたことに起因して、透光カバー１４には圧縮残留応力が発生する。
【００４７】
図４は、本実施形態の作用を説明するためのグラフである。
【００４８】
このグラフは、２２０℃×９８Ｎの試験条件下において、ＡＳＡ樹脂のＭＦＲ（メルトマスフローレイト）とそのガラス転移温度Ｔｇ２との関係を測定した結果を示すグラフである。
【００４９】
同図に示すように、ＡＳＡ樹脂は、ＭＦＲが大きくなるとＴｇ２が低下する傾向にあり、ＭＦＲが４０（ｇ／１０min ）を超えたあたりでＴｇ２は９５℃以下となり、ＭＦＲが５０（ｇ／１０min ）を超えるとＴｇ２はさらに低下して９０℃以下となる。
【００５０】
次に、本実施形態の作用効果について説明する。
【００５１】
本実施形態に係る車両用灯具１０は、樹脂製のランプボディ１２と樹脂製の透光カバー１４とが溶着された構成となっているが、ランプボディ１２は透光カバー１４を構成するＰＭＭＡ樹脂よりもガラス転移温度が低いＡＳＡ樹脂で構成されている（すなわち、透光カバー１４を構成するＰＭＭＡ樹脂のガラス転移温度Ｔｇ１に対して、ランプボディ１２を構成するＡＳＡ樹脂のガラス転移温度Ｔｇ２が、Ｔｇ１＞Ｔｇ２となっている）ので、図３に示すように、ランプボディ１２と透光カバー１４との溶着部分において、透光カバー１４側に引張残留応力ではなく圧縮残留応力を発生させるようにすることができる。そしてこれにより透光カバー１４の耐溶剤性を向上させることができる。したがって、ランプボディ１２と透光カバー１４とを溶着した後のアニール工程を不要とすることあるいはこれを簡素なものとすることができる。
【００５２】
このように本実施形態によれば、樹脂製のランプボディ１２と樹脂製の透光カバー１４との溶着によって形成される灯室１６内に光源２０が配置されてなる車両用灯具１０において、透光カバー１４をＰＭＭＡ樹脂で構成するとともにランプボディ１２をＡＳＡ樹脂で構成した場合であっても、アニール工程の不要化またはその簡素化を図ることができる。
【００５３】
そしてこれにより、従来のようなアニール工程のための大規模かつ高コストな設備を廃止または縮小することができるとともに、リードタイムの短縮による生産性向上を図ることができる。
【００５４】
その際、本実施形態においては、ランプボディ１２を構成するＡＳＡ樹脂として、流動特性を示すＭＦＲ（メルトマスフローレイト）が、２２０℃×９８Ｎの試験条件下で５０（ｇ／１０min ）以上のＡＳＡ樹脂が用いられているので、図４に示すように、ランプボディ１２を構成するＡＳＡ樹脂のガラス転移温度Ｔｇ２を、透光カバー１４を構成するＰＭＭＡ樹脂のガラス転移温度Ｔｇ１である９５℃程度よりも低い値に設定することが容易に可能となる。しかも、このように流動性の高いＡＳＡ樹脂を用いることにより、ランプボディ１２の成形性を高めることができる。
【００５５】
また本実施形態においては、ランプボディ１２の内面に直接蒸着が施された構成となっているので、次のような作用効果を得ることができる。
【００５６】
すなわち、ランプボディ１２をＡＳＡ樹脂で構成することにより、ランプボディ１２をＡＢＳ樹脂等で構成した場合に比して、その表面の平滑性を高めることができる。したがって、ランプボディ１２の内面に蒸着を施して蒸着膜３０を形成する際、従来のように前処理としてのアンダーコートを施すことなく直接蒸着を施すことが可能となる。そして、このようにランプボディ１２の内面に直接蒸着を施すことにより、灯具の製造工程の簡素化および製造コストの低減を図ることができる。
【００５７】
さらに本実施形態においては、光源２０として発光素子が採用されているので、次のような作用効果を得ることができる。
【００５８】
すなわち、光源２０を発光素子とすることにより、光源バルブ等の場合に比して光源２０からの輻射熱を大幅に低減させることができるので、ランプボディ１２が高温になってしまうのを未然に防止することができる。したがって、ランプボディ１２を構成するＡＳＡ樹脂のガラス転移温度Ｔｇ２を、透光カバー１４を構成するＰＭＭＡ樹脂のガラス転移温度Ｔｇ１よりも低い値に設定する上で、光源２０からの輻射熱の影響を考慮する必要をなくすことができる。
【００５９】
上記実施形態においては、ランプボディ１２と透光カバー１４との溶着が熱板溶着によって行われているものとして説明したが、これ以外の溶着方法（例えば振動溶着やレーザ溶着等）によって溶着された構成とすることも可能である。
【００６０】
上記実施形態においては、透光カバー１４が素通し状に形成されているものとして説明したが、その内面にレンズ素子が形成された構成等を採用することも可能である。
【００６１】
上記実施形態においては、車両用灯具１０がテールランプである場合について説明したが、テールランプ以外にも、ストップランプ、ターンシグナルランプ、クリアランスランプ、デイタイムランニングランプ等、車両に設けられる箇所や機能にかかわらず、上記実施形態と同様の構成を採用することにより上記実施形態と同様の作用効果を得ることができる。
【００６２】
なお、上記実施形態において諸元として示した数値は一例にすぎず、これらを適宜異なる値に設定してもよいことはもちろんである。
【００６３】
また、本願発明は、上記実施形態に記載された構成に限定されるものではなく、これ以外の種々の変更を加えた構成が採用可能である。
【符号の説明】
【００６４】
１０  車両用灯具
１２  ランプボディ
１２ａ、１４ａ  外周縁部
１２ａ１  台座部
１２ａ２  フランジ部
１２ｂ  周壁部
１２ｃ  後壁部
１４  透光カバー
１４ａ１  リブ
１６  灯室
２０  光源
３０  蒸着膜
Ｔｇ１  ＰＭＭＡ樹脂のガラス転移温度
Ｔｇ２  ＡＳＡ樹脂のガラス転移温度
Ｗ  溶着面
【図１】
0006535554.tif 000002
【図２】
0006535554.tif 000003
【図３】
0006535554.tif 000004
【図４】
0006535554.tif 000005